(57)【要約】【課題】屋外に設置されたソーラーパネル等の平面を傷つけることなく手動で容易に洗浄することができる洗浄具を提供することである。【解決手段】平面３ａを洗浄する洗浄具１であって、先端部にホルダー４が設けられ、洗浄時に長手方向に手動により往復動操作される操作棒５と、前記ホルダー４に取り付けられた第１の支持軸６ａに回転自在に装着され、前記操作棒５の操作移動により前記平面３ａとの摩擦接触により回転し、摩擦接触部７が前記操作棒５の横方向一方に向けて前記平面３ａに滑り変位する第１の通水性弾性ローラ８ａと、前記ホルダー４に取り付けられた第２の支持軸６ｂに回転自在に装着され、前記操作棒５の操作移動により前記平面３ａとの摩擦接触により回転し、摩擦接触部７が前記操作棒５の横方向他方に向けて前記平面３ａに滑り変位し、前記第１の通水性弾性ローラ８ａとともにローラ対をなす第２の通水性弾性ローラ８ｂとを有する。【選択図】図２
2014030815.tif 000002
【特許請求の範囲】
【請求項１】
平面を洗浄する洗浄具であって、
先端部にホルダーが設けられ、洗浄時に長手方向に手動により往復動操作される操作棒と、
前記ホルダーに取り付けられた第１の支持軸に回転自在に装着され、前記操作棒の操作移動により前記平面との摩擦接触により回転し、摩擦接触部が前記操作棒の横方向一方に向けて前記平面に滑り変位する第１の通水性弾性ローラと、
前記ホルダーに取り付けられた第２の支持軸に回転自在に装着され、前記操作棒の操作移動により前記平面との摩擦接触により回転し、摩擦接触部が前記操作棒の横方向他方に向けて前記平面に滑り変位し、前記第１の通水性弾性ローラとともにローラ対をなす第２の通水性弾性ローラとを有することを特徴とする洗浄具。
【請求項２】
請求項１記載の洗浄具において、第１と第２の前記通水性弾性ローラが前記操作棒の左右一方側に設けられ、第１の前記通水性弾性ローラの回転中心軸が前記操作棒の前方に向けて傾斜し、第２の前記通水性弾性ローラの回転中心軸が前記操作棒の基端部に向けて傾斜していることを特徴とする洗浄具。
【請求項３】
請求項１記載の洗浄具において、第１の前記通水性弾性ローラが前記操作棒の左右一方側に設けられ、第２の前記通水性弾性ローラが前記操作棒の左右他方側に設けられ、第１と第２の前記通水性弾性ローラが前記操作棒の前方または基端部に向けて傾斜していることを特徴とする洗浄具。
【請求項４】
請求項１記載の洗浄具において、第１と第２の前記通水性弾性ローラが前記操作棒の左右一方側に前記操作棒に対してほぼ直角に且つ前後に平行に設けられ、第１と第２の前記通水性弾性ローラの外周面に前記摩擦接触部を形成する螺旋状の切れ目が設けられていることを特徴とする洗浄具。
【請求項５】
請求項１記載の洗浄具において、第１の前記通水性弾性ローラが前記操作棒の左右一方側に前記操作棒に対してほぼ直角に設けられ、第１の前記通水性弾性ローラが前記操作棒の左右他方側に前記操作棒に対してほぼ直角に設けられ、第１と第２の前記通水性弾性ローラの外周面に前記摩擦接触部を形成する螺旋状の切れ目が設けられていることを特徴とする洗浄具。
【請求項６】
請求項１〜５のいずれか１項に記載の洗浄具において、前記操作棒の基端部には水道ホースが接続され、前記操作棒、前記ホルダーおよび前記支持軸には水道ホースから供給される水を前記通水性弾性ローラに供給する通水路が形成されていることを特徴とする洗浄具。
【請求項７】
請求項１〜６のいずれか１項に記載の洗浄具において、前記操作棒には延長用操作棒が接続可能であり、前記延長用操作棒の端部には平面を保護するクッション材が設けられていることを特徴とする洗浄具。
【発明の詳細な説明】
【技術分野】
【０００１】
本発明は、ソーラーパネル等の平面の汚れを容易に落とすのに適する洗浄具に関するものである。
【背景技術】
【０００２】
近年、多く設置される傾向にあるソーラーパネルは、屋外に設置されているため、表面が汚染物質により汚染されやすい。かかるソーラーパネルは、汚染物質により太陽光が遮られることにより、発電能力の低下を来たす問題がある。そのため、ソーラーパネルの表面の汚染物質を取り除く洗浄方法として、電動ポリッシャーやブラシ等が使用される。
【０００３】
しかしながら、ソーラーパネルの表面である平面は、ガラスで形成されているため、電動ポリッシャーやブラシ等で擦ると傷が付きやすい。ソーラーパネルの平面に一度傷が付くと、傷部分に汚染物質が引っかかり易くなり、更に汚染が広がり、発電能力の低下を早めてしまう。
【０００４】
また、モップを用いた洗浄方法もあるが、砂埃が蓄積した部分をモップで擦ると、砂埃でソーラーパネルの平面が傷付けられてしまう。なお、モップの枠は木製であるため、モップがソーラーパネルの平面から外れて、モップの枠がソーラーパネルの平面に当たると、平面を傷付けてしまうおそれがある。
【０００５】
ところで、本発明者は、洗浄対象物に接触して洗浄対象物を効果的に洗浄することができる自動洗浄装置を先に開示した（特許文献１参照）。この自動洗浄装置は、洗浄対象物に接触して洗浄対象物を洗浄する洗浄具本体を有する自動洗浄装置であって、洗浄具本体はスポンジによって円柱体に形成され、自身では回転せずに洗浄対象物との接触で回転するように回転軸に自由回転可能に設けられ、かつ洗浄対象物と接触する側面に回転軸に沿って切れ目が設けられており、回転軸は洗浄対象物の移動方向に対して０度を含まない９０度未満の角度で傾いているものである。
【先行技術文献】
【特許文献】
【０００６】
【特許文献１】特許第４９５１６４４号公報
【発明の概要】
【発明が解決しようとする課題】
【０００７】
前記自動洗浄装置は、これまで高圧水を吹付けても落とすことができなかった電車等の車両の汚れを、塗装面に目視で確認できるほどの傷を付けることなく、落とすことができる。
【０００８】
本発明者は、高圧水を吹付けることでも落とすことができなかった汚れが、指で軽く触れるだけで汚れを落とすことができることを見出し、かかる指で軽く触れるだけで汚れを落とすことができる方法として、スポンジによる洗浄物表面の擦り現象を作り出して、落とすことを着想した。かかる手段を用いることで、確実に従来の高圧水の吹付け洗浄よりも洗浄効果を増大させ、高圧水の吹付けでも落とすことができなかった汚れを落とすことができた。スポンジによる擦りの振幅で、落とすことができるものと推察される。
【０００９】
ところで、自動洗浄装置は、電車等の車両の汚れを、その車両の走行移動に伴うスポンジとの接触による擦り現象により落とすように構成されたものである。そのため、ソーラーパネルのように建物の屋根上など、屋外に設置されたものを洗浄対象物とすることは難しかった。
【００１０】
そこで、本発明は、前記事情を考慮してなされたものである。本発明の目的は、屋外に設置されたソーラーパネル等の平面を傷つけることなく手動で容易に洗浄することができる洗浄具を提供することにある。
【課題を解決するための手段】
【００１１】
前記目的を達成するために、本発明は、平面を洗浄する洗浄具であって、先端部にホルダーが設けられ、洗浄時に長手方向に手動により往復動操作される操作棒と、前記ホルダーに取り付けられた第１の支持軸に回転自在に装着され、前記操作棒の操作移動により前記平面との摩擦接触により回転し、摩擦接触部が前記操作棒の横方向一方に向けて前記平面に滑り変位する第１の通水性弾性ローラと、前記ホルダーに取り付けられた第２の支持軸に回転自在に装着され、前記操作棒の操作移動により前記平面との摩擦接触により回転し、摩擦接触部が前記操作棒の横方向他方に向けて前記平面に滑り変位し、前記第１の通水性弾性ローラとともにローラ対をなす第２の通水性弾性ローラとを有することを特徴とする。
【００１２】
第１と第２の前記通水性弾性ローラが前記操作棒の左右一方側に設けられ、第１の前記通水性弾性ローラの回転中心軸が前記操作棒の前方に向けて傾斜し、第２の前記通水性弾性ローラの回転中心軸が前記操作棒の基端部に向けて傾斜していることが好ましい。
【００１３】
第１の前記通水性弾性ローラが前記操作棒の左右一方側に設けられ、第２の前記通水性弾性ローラが前記操作棒の左右他方側に設けられ、第１と第２の前記通水性弾性ローラが前記操作棒の前方または基端部に向けて傾斜していることが好ましい。
【００１４】
第１と第２の前記通水性弾性ローラが前記操作棒の左右一方側に前記操作棒に対してほぼ直角に且つ前後に平行に設けられ、第１と第２の前記通水性弾性ローラの外周面に前記摩擦接触部を形成する螺旋状の切れ目が設けられていることが好ましい。
【００１５】
第１の前記通水性弾性ローラが前記操作棒の左右一方側に前記操作棒に対してほぼ直角に設けられ、第１の前記通水性弾性ローラが前記操作棒の左右他方側に前記操作棒に対してほぼ直角に設けられ、第１と第２の前記通水性弾性ローラの外周面に前記摩擦接触部を形成する螺旋状の切れ目が設けられていることが好ましい。
【００１６】
前記操作棒の基端部には水道ホースが接続され、前記操作棒、前記ホルダーおよび前記支持軸には水道ホースから供給される水を前記通水性弾性ローラに供給する通水路が形成されていることが好ましい。
【００１７】
前記操作棒には延長用操作棒が接続可能であり、前記延長用操作棒の端部には被洗浄面を保護するクッション材が設けられていることが好ましい。
【発明の効果】
【００１８】
本発明によれば、ソーラーパネル等の平面を傷つけることなく手動で容易に洗浄することができる。
【図面の簡単な説明】
【００１９】
【図１】は本発明に係る洗浄具の一実施形態を示す図で、（ａ）は平面図、（ｂ）は側面図である。
【図２】本発明の第１の基本的概念を説明する要部平面図である。
【図３】本発明の第２の基本的概念を説明する要部平面図である。
【図４】（ａ）は図１の実施形態の洗浄具を前方に操作したときの洗浄ローラに作用する力の方向と洗浄対象物に作用する力の方向を説明する説明図、(ｂ)は洗浄具を後方に操作したときの洗浄ローラに作用する力の方向と洗浄対象物に作用する力の方向を説明する説明図である。
【図５】洗浄ローラの縦断面図である。
【図６】洗浄具における洗浄ローラの取付け状態を示す断面図である。
【図７】洗浄具の操作棒を延長した状態を示す平面図である。
【図８】洗浄具の操作棒の延長構造を概略的に示す断面図である。
【図９】洗浄具を用いたソーラーパネルの洗浄を説明する説明図である。
【図１０】本発明の第３の基本的概念を説明する要部平面図である。
【図１１】本発明の第４の基本的概念を説明する要部平面図である。
【図１２】(ａ)は洗浄ローラの螺旋状の切れ目が密の場合を示す平面図、(ｂ)は洗浄ローラの螺旋状の切れ目が疎の場合を示す平面図である。
【図１３】本発明に係る洗浄具の他の実施形態を示す図で、（ａ）は洗浄具を前方に操作したときの洗浄ローラに掛かる力の方向と洗浄対象物に掛かる力の方向を説明する説明図、(ｂ)は洗浄具を後方に操作したときの洗浄ローラに掛かる力の方向と洗浄対象物に掛かる力の方向を説明する説明図である。
【発明を実施するための形態】
【００２０】
以下、本発明の実施の形態を図面に基づいて詳細に説明する。尚、実施の形態を説明するための全図において、同一の部分には原則として同一の符号を付し、その繰り返しの説明は省略する。
【００２１】
本実施形態に係る洗浄具１は、例えば図９に示すように建物の屋根２上に設置されたソーラーパネル３の平面（被洗浄面）３ａを洗浄するのに適するものである。かかる洗浄具１の一実施形態を説明する前に、本発明の共通概念について説明する。この共通概念は、図２に示すように先端部にホルダー４が設けられ、洗浄時に長手方向に手動により往復動操作される操作棒５と、ホルダー４に取り付けられた第１の支持軸６ａに回転自在に装着され、操作棒５の操作移動により平面３ａとの摩擦接触により回転し、摩擦接触部７が操作棒５の横方向一方に向けて平面に滑り変位する第１のスポンジローラ（通水性弾性ローラ）８ａと、ホルダー４に取り付けられた第２の支持軸６ｂに回転自在に装着され、操作棒５の操作移動により平面３ａとの摩擦接触により回転し、摩擦接触部７が操作棒５の横方向他方に向けて平面３ａに滑り変位し、第１のスポンジローラ８ａと共にローラ対をなす第２のスポンジローラ８ｂを有する点である。
【００２２】
そして、この共通概念を基本とした第１の基本的概念は、図２に示すように第１と第２のスポンジローラ８ａ，８ｂが操作棒５の左右一方側に設けられ、第１のスポンジローラ８ａの第１の支持軸６ａが操作棒５の前方に向けて傾斜し、第２のスポンジローラ８ｂの第２の支持軸６ｂが操作棒５の基端部（後方）に向けて傾斜している点である。
【００２３】
また、共通概念を基本とした第２の基本的概念は、図３に示すように第１のスポンジローラ８ａが操作棒５の左右一方側に設けられ、第２のスポンジローラ８ｂが操作棒５の左右他方側に設けられ、第１と第２のスポンジローラ８ａ，８ｂが共に操作棒５の前方に向けて傾斜している点である。これら第１と第２のいずれの基本的概念においても、第１のスポンジローラ８ａと第２のスポンジローラ８ｂが互いに反対の方向に傾斜しているため、これらによって生じる摩擦接触部７の滑り変位による左右方向への付勢力が互いに相殺され、操作棒５は左右に勝手に移動することなく安定して前後に操作することが可能となる。
【００２４】
次に、本発明の第１または第２の基本的概念を備えた第１の実施形態に係る洗浄具１について図１の（ａ），（ｂ）を参照して説明する。この洗浄具１は、洗浄時に長手方向に手動により往復動操作される操作棒５を備え、操作棒５の先端部にはホルダー４が設けられている。ホルダー４の一側には第１の支持軸６ａ介して第１のスポンジローラ８ａと、第２の支持軸６ｂを介して第２のスポンジローラ８ｂとが回転自在に装着されている。また、ホルダー４の他側には第３の支持軸６ｃを介して第３のスポンジローラ８ｃと、第４の支持軸６ｄを介して第４のスポンジローラ８ｄとが回転自在に装着されている。
【００２５】
すなわち、第１の実施形態に係る洗浄具１は、第１の基本的概念である図２の一側における前後に傾斜した前後一対の第１、第２のスポンジローラ８ａ，８ｂをホルダー４に対して左右対称に配置してなるもの、或いは第２の基本的概念である図３の左右両側における前方に傾斜した左右一対の第１、第２のスポンジローラ８ａ，８ｂをホルダー４に対して前後対称に配置してなるものである。このように、前方斜め左右方向および後方斜め左右方向に計４つのスポンジローラ８ａ〜８ｄを備えているため、極めて安定した状態でソーラーパネルの平面を効果的に洗浄することが可能となり、仮に前方のスポンジローラ８ａ，８ｃが平面３ａから外れたとしても後方のスポンジローラ８ｂ，８ｄが平面３ａ上に載っているため、モップのように枠がソーラーパネル３の平面３ａに当たることがなく、平面３ａの損傷を防止することが可能となる。
【００２６】
スポンジローラ８ａ〜８ｄは、図５ないし図６に示すように、中心に軸孔１４を有し、軸孔１４内には周面に散水孔１５を有する合成樹脂製のパイプが装着されている。パイプ１６の外周面にスポンジローラ８ａ〜８ｄの軸孔１４内周面が接着材により接着されている。スポンジローラ８ａ〜８ｄは、支持軸６ａ〜６ｄに装着され、支持軸６ａ〜６ｄの端部にはスポンジローラ８ａ〜８ｄの脱落を防止するストッパーとして且つ支持軸６ａ〜６ｄの開口端を塞ぐキャップ１７が取付けられている。なお、支持軸６ａ〜６ｄの開口端が予め閉塞されている場合、スポンジローラの脱落を防止すため、止めピンが用いられていても良い。
【００２７】
操作棒５の先端部５ａは下方に屈曲されており、その先端部５ａがホルダー４の上部に接続されている。操作棒５の基端部にはグリップ１８が設けられ、このグリップ１８の後部に水道ホース９が接続されている。グリップ１８の後部には水道ホース９からの水の供給または停止を行なうための開閉用の散水用コック１９が設けられている。また、グリップ１８の後部には洗剤供給源に接続して洗剤の供給または停止を行なうための洗剤用コック２０が設けられている。
【００２８】
操作棒５は、ソーラーパネル３の平面３ａである被洗浄面の大きさに応じて長さを変更できることが好ましい。そこで、操作棒５は、図７、図８に示すように延長用操作棒２１を接続することにより延長可能とされている。この場合、操作棒５とグリップ１８との間に延長用操作棒２１が接続される。操作棒５の基端部には雄ねじ部２２を外周に有する凸部２３が形成され、延長用操作棒２１の先端部には凸部２３が螺合する雌ねじ部２４を内周に有する凹部２５が形成されている。また、延長用操作棒２１の基端部には雄ねじ部２６を外周に有する凸部２７が形成され、グリップ１８の先端部には凸部２７が螺合する雌ねじ部２８を内周に有する凹部２９が形成されている。
【００２９】
操作棒５および延長用操作棒２１は、例えば合成樹脂製であり、それぞれの長さは、例えば１．５ｍであり、操作棒５に延長用操作棒２１を３本接続すると、合計６ｍになる。このように長くなると、操作棒５が撓み、撓んだ部分がソーラーパネル３の平面３ａに当たると平面３ａを損傷するおそれがある。そこで、かかる事態を防止するために、延長用操作棒２１の端部にはソーラーパネル３の平面３ａを保護するクッション材３０が巻き付けるように設けられていることが好ましい。
【００３０】
次に、洗浄具の作用を述べる。図９に示すように屋根２の上に設置されたソーラーパネル３の平面３ａを洗浄する場合、作業者が屋根２の最上部に上がり、洗浄具１を下方に向けて操作棒５を手動により長手方向に往復動操作を行なって洗浄する。洗浄は、水道ホース９で平面３ａに水をかけながら洗浄具１で洗浄してもよいが、洗浄具１の操作棒５の後端に接続した水道ホース９から通水路１０，１１，１２および散水孔１３を介してスポンジローラ８ａ〜８ｄに水を直接供給しながら洗浄具１で平面３ａを洗浄する。
【００３１】
この場合、図４の(ａ)に示すように操作棒５を前方に操作すると、スポンジローラ８ａ〜８ｄは平面３ａ上を矢印Ｅで示す方向に転がる。この場合、第１および第３のスポンジローラ８ａ，８ｃは、両側前方から中央後方に向って傾斜していることから、平面３ａとの摩擦で摩擦接触部７に矢印Ｆで示す方向の外力を受けて弾性変形し、その反力で矢印Ｇで示す方向に平面に対して滑り変位する。
【００３２】
一方、第２および第４のスポンジローラ８ｂ、８ｄは、中央から両側後方に向って傾斜していることから、平面３ａとの摩擦で摩擦接触部７に矢印Ｈで示す外向き外力を受けて弾性変形し、その反力で矢印Ｊで示す方向に平面に対して滑り変位する。
【００３３】
図４の(ｂ)に示すように操作棒５を後方に操作すると、スポンジローラ８ａ〜８ｄは平面３ａ上を矢印Ｋで示す方向に転がる。この場合、第１および第３のスポンジローラ８ａ，８ｃは、両側前方から中央後方に向って傾斜していることから、平面３ａとの摩擦で摩擦接触部７に矢印Ｌで示す方向の外力を受けて弾性変形し、その反力で矢印Ｍで示す方向に平面に対して滑り変位する。
【００３４】
一方、第２および第４のスポンジローラ８ｂ、８ｄは、中央から両側後方に向って傾斜していることから、平面３ａとの摩擦で摩擦接触部７に矢印Ｎで示す外向き外力を受けて弾性変形し、その反力で矢印Ｐで示す方向に平面に対して滑り変位する。このように操作棒５を前後に往復操作することにより、第１および第３のスポンジローラ８ａ，８ｃの滑り変位の方向と、第２および第４のスポンジローラ８ｂ、８ｄの滑り変位の方向とが交互に入れ変わり、滑り変位の繰り返しによりスポンジローラ８ａ〜８ｄが平面３ａを微小な振幅で擦ることにより効果的に洗浄することができる。
【００３５】
また、スポンジローラ８ａ〜８ｄは、操作棒５の操作時に平面３ａに押圧されて部分的に圧縮され、回転方向後方側で圧縮が解放されることにより、回転方向後方に膨らんで平面３ａを擦り、より効果的に洗浄することが可能となる。
【００３６】
図１０は本発明の第３の基本的概念を説明する要部平面図であり、図１１は本発明の第４の基本的概念を説明する要部平面図である。前述した共通概念を基本とした第３の基本的概念は、図１０に示すように第１のスポンジローラ８ａが操作棒５の左右一方側に操作棒５に対してほぼ直角に設けられ、第２のスポンジローラ８ｂが操作棒５の左右他方側に操作棒５に対してほぼ直角に設けられ、第１と第２のスポンジローラ８ａ，８ｂの外周面に摩擦接触部を形成する螺旋状の切れ目３１が設けられている点である。第１のスポンジローラ８ａの螺旋状の切れ目３１と第２のスポンジローラ８ｂの螺旋状の切れ目３１は互いに切れ目の方向が逆になっている。
【００３７】
共通概念を基本とした第４の基本的概念は、図１１に示すように第１と第２のスポンジローラ８ａ，８ｂが操作棒５の左右一方側に操作棒５に対してほぼ直角に且つ前後に平行に設けられ、第１と第２のスポンジローラ８ａ，８ｂの外周面に摩擦接触部を形成する螺旋状の切れ目３１が設けられている点である。第１のスポンジローラ８ａの螺旋状の切れ目３１と第２のスポンジローラ８ｂの螺旋状の切れ目３１は互いに切れ目の方向が逆になっている。
【００３８】
図１２の(ａ)に示すように螺旋状の切れ目３１の密度を密にすると、摩擦接触部としての摩擦抵抗が多くなり、図１２の(ｂ)に示すように切れ目３１の密度を粗にすると、摩擦接触部としての摩擦抵抗が少なくなるので、汚染の状況（度合）に応じて切れ目３１の密度を選択することができる。
【００３９】
次に、本発明の第３または第４の基本的概念を備えた第２の実施形態に係る洗浄具について図１３の（ａ），（ｂ）を参照して説明する。この洗浄具１は、洗浄時に長手方向に手動により往復動操作される操作棒５を備え、操作棒５の先端部にはホルダー４が設けられている。ホルダー４の一側には第１の支持軸６ａを介して第１のスポンジローラ８ａと、第２の支持軸６ｂを介して第２のスポンジローラ８ｂとが前後に平行に回転自在に装着されている。また、ホルダー４の他側には第３の支持軸６ｃを介して第３のスポンジローラ８ｃと、第４の支持軸６ｄを介して第４のスポンジローラ８ｄとが回転自在に装着されている。
【００４０】
すなわち、第２の実施形態に係る洗浄具１は、第３の基本的概念である図１０の前方の左右一対の第１、第２のスポンジローラ８ａ，８ｂをホルダー４に対して前後対称に配置してなるもの、或いは第４の基本的概念である図１１の左右一側における平行な前後一対の第１、第２のスポンジローラ８ａ，８ｂをホルダー４に対して左右対象に配置してなるものである。このように、前方の左右方向および後方の左右方向に計４つのスポンジローラ８ａ〜８ｄを備えているため、極めて安定した状態でソーラーパネル３の平面３ａを効果的に洗浄することが可能となり、仮に前方のスポンジローラ８ａ，８ｃが平面３ａから外れたとしても後方のスポンジローラ８ｂ，８ｄが平面上に載っているため、モップのように枠がソーラーパネル３の平面３ａに当たることが無く、平面３ａの損傷を防止することができる。
【００４１】
この場合、図１３の(ａ)に示すように操作棒５を前方に操作すると、スポンジローラ８ａ〜８ｄは平面３ａ上を矢印Ｅで示す方向に転がる。この場合、第１および第３のスポンジローラ８ａ，８ｃは、互いに逆方向の螺旋状の切れ目３１が形成されていることから、平面３ａとの摩擦で摩擦接触部を形成する螺旋状の切れ目３１により互いに離反する方向Ｈの外力を受けて弾性変形し、その反力で互いに接近する矢印Ｊの方向に平面３ａに対して滑り変位する。
【００４２】
一方、第２および第４のスポンジローラ８ｂ、８ｄは、互いに逆方向の螺旋状の切れ目３１により互いに接近する矢印Ｆの方向の外力を受けて弾性変形し、その反力で互いに離反する矢印Ｇの方向に平面３ａに対して滑り変位する。
【００４３】
図１３の(ｂ)に示すように操作棒５を後方に操作すると、スポンジローラ８ａ〜８ｄは平面３ａ上を矢印Ｋで示す方向に転がる。この場合、第１および第３のスポンジローラ８ａ，８ｃは、互いに逆方向の螺旋状の切れ目３１が形成されていることから、平面３ａとの摩擦で摩擦接触部を形成する螺旋状の切れ目３１により互いに接近する矢印Ｎの方向の外力を受けて弾性変形し、その反力で互いに離反する矢印Ｐの方向に平面３ａに対して滑り変位する。
。
【００４４】
一方、第２および第４のスポンジローラ８ｂ、８ｄは、互いに逆方向の螺旋状の切れ目３１により互いに離反する矢印Ｌの方向の外力を受けて弾性変形し、その反力で互いに接近する矢印Ｍの方向に平面３ａに対して滑り変位する。このように操作棒５を前後に往復操作することにより、第１および第３のスポンジローラ８ａ，８ｃの滑り変位の方向と、第２および第４のスポンジローラ８ｂ、８ｄの滑り変位の方向とが交互に入れ変わり、滑り変位の繰り返しによりスポンジローラ８ａ〜８ｄが平面３ａを微小な振幅で擦ることにより効果的に洗浄することができる。
【００４５】
また、スポンジローラ８ａ〜８ｄは、操作棒５の操作時に平面３ａに押圧されて部分的に圧縮され、回転方向後方側で圧縮が解放されることにより、回転方向後方に膨らんで平面３ａを擦り、より効果的に洗浄することが可能となる。
【００４６】
本発明は前記実施の形態に限定されるものではなく、その要旨を逸脱しない範囲で種々変更可能である。洗浄対象物としてはソーラーパネルに限定されず、例えばカーポートの屋根等であってもよい。
【符号の説明】
【００４７】
１  洗浄具
２  屋根
３  ソーラーパネル
３ａ  平面（被洗浄面）
４  ホルダー
５  操作棒
６ａ  第１の支持軸
６ｂ  第２の支持軸
６ｃ  第３の支持軸
６ｄ  第４の支持軸
７  摩擦接触部
８ａ  第１のスポンジローラ
８ｂ  第２のスポンジローラ
８ｃ  第３のスポンジローラ
８ｄ  第４のスポンジローラ
９  水道ホース
１０，１１．１２  通水路
２１  延長用操作棒
３０  クッション材
【図１】
2014030815.tif 000003
【図２】
2014030815.tif 000004
【図３】
2014030815.tif 000005
【図４】
2014030815.tif 000006
【図５】
2014030815.tif 000007
【図６】
2014030815.tif 000008
【図７】
2014030815.tif 000009
【図８】
2014030815.tif 000010
【図９】
2014030815.tif 000011
【図１０】
2014030815.tif 000012
【図１１】
2014030815.tif 000013
【図１２】
2014030815.tif 000014
【図１３】
2014030815.tif 000015